(57)【要約】【課題】トンネル内を走行する車両の運転手の視線誘導を効果的に行うことができる視線誘導装置を提供する。【解決手段】蓄光体によって発光する陶磁器からなる蓄光板と、この蓄光板の前記発光面へ向けて光を照射して照明する照明灯を備え、トンネル内の車道の側方壁体に取り付けた前記蓄光板の前記発光面により車道に沿う横長の発光ライン部を形成させ、この発光ライン部の前記発光面を側方の車道へ向けるように形成ささせ、前記照明灯の光を前記発光ライン部の前記発光面へライン形状で照射させる。前記発光ライン部の前記発光面へ光をライン形状で照射させるように前記照明灯を設けるので、前記発光ライン部の発光面へ照明灯の光を効率良く照射させ、蓄光体を励起させて発光させることができる。【選択図】        図１
2015101892.tif 000002
【特許請求の範囲】
【請求項１】
含有する蓄光体によって発光面が発光する陶磁器からなる蓄光板と、該蓄光板の前記発光面へ向けて光を照射して照明する照明灯を備え、
トンネル内の車道の側方壁体に取り付けられた前記蓄光板の前記発光面により車道に沿う横長の発光ライン部が形成され、
該発光ライン部は前記発光面が側方の車道へ向けられるように形成されており、
前記照明灯は光を前記発光ライン部の前記発光面へライン形状で照射させるように設けたことを特徴とする視線誘導装置。
【請求項２】
前記発光ライン部の発光面が車道路面から０ｍ以上１ｍ以下の高さの位置に形成されると共に、前記照明灯が前記車道路面から３ｍ以上の高さの位置に設けられていることを特徴とする請求項１に記載の視線誘導装置。
【請求項３】
前記照明灯は、前記発光ライン部を照明する光の上下幅方向の照射範囲が、前記発光ライン部の発光面の全幅を含むと共に、該発光面の幅の３倍の大きさの範囲内に収まるように設けられていることを特徴とする請求項１又は２に記載の視線誘導装置。
【請求項４】
前記発光ライン部は左右長手方向の大きさが５ｍ以上３０ｍ以内の大きさに形成されると共に、複数の前記発光ライン部が左右方向に間隔をあけて配置されるように設けられ、且つ、前記各発光ライン部が各々１台の照明灯によってそれぞれ照明されるようになされていることを特徴とする請求項１〜３のいずれかに記載の視線誘導装置。
【発明の詳細な説明】
【技術分野】
【０００１】
本発明は、主にトンネル内の車道を走行する車両の運転手の視線誘導を行うための視線誘導装置に関する。
【背景技術】
【０００２】
従来より、車両を走行する運転手の視線誘導を行うために、照射された光を光源方向へ平行に反射させる再帰反射体を用いた視線誘導標などがよく用いられている。また、トンネル内における視線誘導では、昼間でも暗い状況で視認性を向上させるために蓄光材料を用いた発光体を備えるものが利用されており、種々の構成が提案されている。
【０００３】
例えば、特許文献１には、光反射性を有する反射素子と、紫外線を含む波長領域の光によって励起され、可視光線を発光し、紫外線の励起が終了した後も長時間残光する性能を有する蓄光素子とが釉薬を母材として基板と一体化されていることを特徴とする情報表示装置の発明が開示されている。
【先行技術文献】
【特許文献】
【０００４】
【特許文献１】特開平１１−２８８２３３号公報
【発明の概要】
【発明が解決しようとする課題】
【０００５】
特許文献１に示される如き情報表示装置は、文字や図形などで表す情報を視認させる目的には適しているが、トンネル内の車道の線形を認識させる等の目的のために車両の運転手の視線を誘導する視線誘導装置に用いるには適当ではなかった。
【０００６】
本発明は、トンネル内を走行する車両の運転手の視線誘導を効果的に行うための視線誘導装置に関するものである。
【課題を解決するための手段】
【０００７】
上記目的を達成するため、本発明は以下のような構成としている。
すなわち本発明に係る視線誘導装置は、含有する蓄光体によって発光面が発光する陶磁器からなる蓄光板と、該蓄光板の前記発光面へ向けて光を照射して照明する照明灯を備え、
トンネル内の車道の側方壁体に取り付けられた前記蓄光板の前記発光面により車道に沿う横長の発光ライン部が形成され、
該発光ライン部は前記発光面が側方の車道へ向けられるように形成されており、
前記照明灯は光を前記発光ライン部の前記発光面へライン形状で照射させるように設けたことを特徴とするものである。
【０００８】
本発明に係る視線誘導装置によれば、含有する蓄光体によって発光面が発光する陶磁器からなる蓄光板と、この蓄光板の前記発光面へ向けて光を照射して照明する照明灯を備えるので、この照明灯からの光の照射によって前記蓄光体が励起されて前記発光面が発光し、周囲が暗いトンネル内でも発光による視線誘導を行える。また、蓄光板を陶磁器で形成することで、樹脂板で形成する場合と比較して経年劣化などによる損傷を抑制できる。
また、トンネル内の車道の側方壁体に取り付けた前記蓄光板の前記発光面により車道に沿う横長の発光ライン部を形成させるので、横長形状に発光する発光ライン部が道路に沿って視認され、視線誘導された車両の運転手が道路の線形を良好に認識できる。
また、発光ライン部の前記発光面を側方の車道へ向けるように形成するので、水やほこりなどが発光面上に乗りにくく、より明るく発光面を発光させることができる。
また、前記発光ライン部の前記発光面へ光をライン形状で照射させるように前記照明灯を設けるので、前記発光ライン部の発光面へ照明灯の光を効率良く照射させ、蓄光体を励起させて発光させることができる。
【０００９】
また、前記発光ライン部の発光面を車道路面から０ｍ以上１ｍ以下の高さの位置に形成させれば、車道の進行方向の道路面へ視線を落とした車両の運転手の視界に前記発光ライン部が自然に入り、効果的に視線誘導できる。また、路面へ照射されるように斜め下方へ向けて放射される車両のヘッドライトの光が、前記発光ライン部の発光面へ照射されるようになされ、前記発光面に含有される蓄光体を効果的に励起できる。
また、前記照明灯を前記車道路面から３ｍ以上の高さの位置に設ければ、前記照明灯からの光の放射範囲をレンズなどで調整し、前記発光面を効率良く照明できるように設けることができる。また、清掃車によるトンネル側壁の清掃を行う際に、照明灯が清掃車の清掃範囲の上方に位置するようになされ、清掃車による照明灯の損傷などが抑制できる。
【００１０】
また、前記発光ライン部を照明する光の上下幅方向の照射範囲を、前記発光ライン部の発光面の全幅を含むと共に、該発光面の幅の３倍の大きさの範囲内に収まるように前記照明灯を設ければ、この照明灯からの光を効率良く発光ライン部へ照射させて視線誘導を行うことができる。
【００１１】
また、前記発光ライン部の左右長手方向の大きさを５ｍ以上３０ｍ以内の大きさに形成させると共に、複数の前記発光ライン部を左右方向に間隔をあけて配置させて設ければ、視認される各発光ライン部の長さにより道路の線形が良好に認識できるようになされる。
また、前記各発光ライン部を各々１台の照明灯によってそれぞれ照明するようにすれば、各発光ライン部の間に無駄な光を照射することなく、各照明灯の光を効率良く視線誘導に利用することができる。
【発明の効果】
【００１２】
本発明の視線誘導装置によれば、トンネル内を走行する車両の運転手の視線誘導を効果的に行うことができる。
【図面の簡単な説明】
【００１３】
【図１】本発明に係る視線誘導装置をトンネル内に設置させた状況の一形態を示す図である。
【図２】図１の視線誘導装置の発光ライン部を形成する蓄光板を示す、（イ）は正面図であり、（ロ）は側面図である。
【図３】図１の照明灯を示す正面図である。
【図４】図３の右側面図である。
【図５】図１の発光ライン部へ照明灯の光を照射させた状況を示す正面図である。
【図６】図１の発光ライン部へ照明灯の光を照射させた他の状況を示す正面図である。
【発明を実施するための形態】
【００１４】
本発明の実施の形態を図面に基づき具体的に説明する。
図面において、１は視線誘導装置Ｓの発光ライン部であり、２は視線誘導装置Ｓの照明灯である。
本発明の視線誘導装置Ｓは、前記発光ライン部１をトンネル内の車道側方に設置させ、これから離れた位置に設置させた前記照明灯２が放射する光を前記発光ライン部１へ照射させるように設けており、前記車道を走行する車両のドライバーに前記発光ライン部１を視認させて視線誘導を行うように設けている。
【００１５】
図１は、本発明に係る視線誘導装置Ｓをトンネル内に設置させた状況の一形態を示す図である。
図１は、片側１車線で合計２車線の車道Ｒ１、Ｒ２を備えるトンネル内に視線誘導装置Ｓを設置させた状況であり、車両進行方向が図面手前側から奥側へ向かう左側の車道Ｒ１の左側方に発光ライン部１が設置されている。
【００１６】
本実施形態の発光ライン部１は、矩形板状に形成された蓄光板３により形成されており、複数の蓄光板３を横方向へ並設させて、横長線形状の発光ライン部１を形成させている。
本実施形態の発光ライン部１は、トンネルの側壁に設けて、その表面を右側の車道Ｒ１へ向けるように形成させている。
また、前記発光ライン部１は、上下幅方向の大きさを３０ｃｍ、左右長手方向の大きさを約２０ｍに形成させており、複数の発光ライン部１をそれぞれ２０ｍの間隔をあけて横方向に並設させるように形成させている。
また、本実施形態の発光ライン部１は、その下縁が車道Ｒ１の路面から１０ｃｍの高さに位置するように形成されている。
【００１７】
図２は、図１の視線誘導装置Ｓの発光ライン部１を形成する蓄光板３を示す、（イ）は正面図であり、（ロ）は側面図である。
本実施形態の蓄光板３は、矩形板状に形成させており、具体的には一辺が３０ｃｍの正方四辺形に形成させている。
図１の発光ライン部１は、前記蓄光板３を横方向に６７個並設させて左右長手方向約２０ｍの大きさに形成させている。
【００１８】
前記蓄光板３は、陶磁器で形成されており、その表面に焼成前に塗布された蓄光体を含有する釉薬による蓄光層が形成され、この蓄光体によって発光する発光面３１が設けられている。
蓄光板３に含有させる前記蓄光体は、硫化亜鉛や、それに銅を配合した等の硫化系のものを用いてもよいが、酸化アルミ、酸化ホウ素、酸化ストロンチウム等の酸化物を主体とし、それにユーロピューム等の希土類を配合した酸化系のものが、安全性、化学的な安定性、耐熱性、発光時間の長さ等において利点があり好ましい。とりわけアルミン酸系ストロンチウム系の蓄光性蛍光物質は発光輝度及び発光時間が長く好適に用いることができる。
前記蓄光板３は蓄光体を釉薬中に含有させて表面に含有させるので、水などの接触による蓄光体の劣化が抑制され、高い耐水性と耐候性を備える。
また、前記蓄光板３の蓄光層には、前記蓄光体と共に、蓄光性を備えない蛍光体を含有させてもよい。
【００１９】
図３は図１の照明灯２を示す正面図であり、図４は図３の右側面図である。
本実施形態の照明灯２は、発光体Ｈを内装してその発する光を外部へ放射させる本体部２０と、この本体部２０に取り付けられた設置部４とを備えており、この設置部４をトンネル内に取り付けて照明灯２を設置させるように設けている。
前記照明灯２は、前記蓄光板３の含有する蓄光体を励起可能な紫外線領域の波長を含む光を放射可能に設けられており、照明灯２からの光を発光ライン部１へ照射させ、この光によって前記蓄光板３の蓄光体を励起させて、発光面３１を発光させるように設けている。
【００２０】
前記照明灯２は、発光体Ｈからの光を本体部２０に取り付けたレンズ部２１で集束させて放射させるように設けられており、放射させた光を被照射面へライン形状に照射するように設けている。
このようにレンズ部２１で集束させた光を前記発光ライン部１へ照射することで、発光ライン部１以外の場所への光の照射を抑制し、発光体Ｈからの光を効率良く発光ライン部１の蓄光板３の発光面３１へ照射できるので、前記発光面３１の蓄光体を効果的に励起させて発光させることができる。
【００２１】
図５は図１の発光ライン部１へ照明灯２の光を照射させた状況を示す正面図である。
前記発光ライン部１は、上下幅方向の大きさＹ１を３０ｃｍに形成し、左右長手方向の大きさＸ１を２０ｍの大きさに形成している。
本実施形態の視線誘導装置Ｓは、１本の発光ライン部１に対し１台の照明灯２の光をライン形状に照射して照明するように設けており、図５は、照明灯２からの光が発光ライン部１を含むライン形状の照射範囲Ｌに照射されている状況を示している。
本実施形態では、照明灯２の光の照射範囲Ｌの大きさについて、上下幅方向の大きさＹ２を５０ｃｍに形成し、左右長手方向の大きさＸ２を約２２ｍの大きさに形成している。
【００２２】
上記の様に、照明灯２から放射させる光をライン形状の照射範囲Ｌに照射させて前記発光ライン部１を照明することで、発光ライン部１の発光面３１を効果的に発光させることができる。
尚、照明灯２からの光のライン形状の照射範囲Ｌは、その上下幅方向の大きさＹ２が、発光ライン部１の上下幅方向の大きさＹ１よりも大きく、且つ発光ライン部１の上下幅方向の大きさＹ１に近いほど好ましく、照射範囲Ｌの上下幅方向Ｙ２の大きさを発光ライン部１の上下幅方向の大きさＹ１の１倍以上３倍以下の大きさにするのが好ましい。
また、発光ライン部１の左右長手方向に照明灯２を複数台設置させて、１本の発光ライン部１を複数の照明灯２で照明させてもよいが、照明灯２の設置の手間や消費電力の増加するため、本実施形態の視線誘導装置Ｓのように、１発光ライン部１を１個の照明灯２で照明するのが好ましい。
尚、照明灯２からの光の照射範囲Ｌの縁は、被照射面を目視して判断するものであり、照射範囲Ｌの縁の視認が難しい程度の紫外線を照射させる場合には、その光を受けて蛍光を発する蛍光体を表面に備える板体などを被照射面に添えて、照射範囲Ｌの縁を視認し易くしてもよい。
【００２３】
本実施形態の照明灯２は、内装する発光体Ｈからの光を放射する本体部２０を、設置部４を介してトンネル内に設置させるように設けている。
前記照明灯２の設置部４は、図３、４に示すように、前記本体部２０に取り付けられる連結上部４４と、この連結上部４４に連結する連結下部４５と、この連結下部４５に連結する取付部４２とを備えており、この取付部４２をトンネルの側壁や天井などに取り付けて照明灯２を設置させるように設けている。
【００２４】
前記本体部２０に取り付けられた連結上部４４は、この連結上部４４に対して本体部２０を水平方向に回転させてその向きを調整可能に本体部２０を支持している。
また、前記連結上部４４に連結される連結下部４５は、この連結下部４５に対して連結上部４４を上下方向に回転させてその向きを調整可能に連結上部４４へ連結されている。
即ち、前記連結下部４５と連結上部４４との回転は、前記本体部２０と連結上部４４との回転の軸方向に対し、垂直な軸方向で回転するように設けられている。
また、前記連結下部４５に連結される取付部４２は、この取付部４２に対して連結下部４５を水平方向に回転させてその向きを回転調整可能に連結下部４５へ連結されている。
即ち、前記取付部４２と連結下部４５との回転は、前記連結上部４４と連結下部４５との回転の軸方向に対し、垂直な軸方向で回転するように設けられている。
【００２５】
上記のように、本実施形態の照明灯２の設置部４は、取付部４２と連結下部４５との間と、連結下部４５と連結上部４４との間と、連結上部４４と本体部２０との間の三箇所でそれぞれ回転可能に設けられているので、取付部４２をトンネルの側壁や天井に取り付けて設置させた照明灯２の光の放射方向を、前記の各回転によって調整することができ、前記発光ライン部１がライン形状の光の照射範囲Ｌの内側に収まるように光の向きを容易に調整することができる。
【００２６】
本実施形態の視線誘導装置Ｓは、照明灯２をトンネルの天井に取り付け、斜め下方向へ放射させる光によって発光ライン部１を照明するように設けている。
このように照明灯２を発光ライン部１から離れた高い位置に取り付けることで、発光ライン部１を含むトンネル側壁を清掃ブラシによって清掃する清掃車が照明灯２へブラシをかけて、照明灯２が損傷するような問題を抑制できる。
照明灯２は、清掃車の清掃する範囲よりも上方に設置させるのが好ましく、車道の路面より２ｍ以上の高さの位置に設置させるのが好ましく、車道の路面より３ｍ以上の高さの位置に設置させるのがより好ましい。
また、前記発光ライン部１は、発光面３１に含有される蓄光体を照明灯２からの光によって励起させて発光するので、発光ライン部１と照明灯２との間の光の通り道が車道を走行する車両によって一時的に遮られたとしても、発光ライン部１の発光面３１は励起された発光体により発光を継続し、視線誘導効果の低下が抑制される。
尚、発光ライン部１を照明する照明灯２は、光を継続的に照射させてもよく、発光面３１の発光体の励起を維持できる範囲で間欠的に光を照射させてもよい。
【００２７】
上記の様に、視線誘導装置Ｓの発光ライン部１は、照明灯２からの光の照射が途切れても、含有する蓄光体によって発光面３１が発光するので、停電などによって照明灯２が消灯しても発光ライン部１による視線誘導効果を維持できる。また、地震などの災害時に、照明灯２が消灯してしまった状態で、車両に乗車している人がトンネル内から徒歩で避難しなければならないような状況でも、蓄光体による発光ライン部１の発光によりトンネル内の線形を避難者に把握させるという効果が期待できる。
【００２８】
車両のヘッドライトは路面を照明できるように設けられているので、発光ライン部１を車道の路面近くに形成させることで、照明灯２からの光のみならず、トンネル内でヘッドライトを点灯させた車両からの光が発光ライン部１へ照射されて発光面３１の蓄光体を励起させるように設けることができる。
車道を走行する車両のヘッドライトからの光が発光ライン部１へ効果的に照射させるために、視線誘導装置Ｓの発光ライン部１は、発光面を車道路面から０ｍ以上１ｍ以下の高さの位置に形成するのが好ましく、本実施形態の発光ライン部１はその下縁が車道路面から１０ｃｍの高さに位置するように設けており、その上縁が車道路面から４０ｃｍの高さに位置するように設けている。
【００２９】
図６は図１の発光ライン部１へ図１の照明灯２の光を照射させた他の状況を示す正面図である。
図６は、被照射面へライン形状に光を照射させる照明灯２の光を、発光ライン部１の発光面３１の内側の範囲に照射させている点が、図５と異なる主な事項である。
即ち、本実施形態の視線誘導装置Ｓは、図１〜５の実施形態と同様に、発光ライン部１をトンネルの側壁に設け、その表面を右側の車道Ｒ１へ向けるように形成させると共に、トンネルの天井に取り付けた照明灯２からの光を斜め下方向へ放射させて前記発光ライン部１を照明し、この光によって前記発光ライン部１の発光面３１の蓄光体を励起させるように設けている。
【００３０】
本実施形態の視線誘導装置Ｓは、発光ライン部１の上下幅方向の大きさＹ１を３０ｃｍに形成し、左右長手方向の大きさＸ１を２０ｍの大きさに形成し、１本の発光ライン部１に対し１台の照明灯２の光をライン形状に照射して照明するように設けている。
そして、照明灯２の光の照射範囲Ｌの大きさについて、上下幅方向の大きさＹ２を１５ｃｍに形成し、左右長手方向の大きさＸ２を約１８ｍの大きさに形成している。
【００３１】
このように照明灯２からの光を発光ライン部１へ照射させることで、照明灯２の光の照射範囲Ｌの内側において、発光面３１の蓄光体を励起させて、ライン形状に発光させ、車道を走行する車両の運転手の視線を誘導させるように設けている。
【００３２】
尚、本発明に係る視線誘導装置Ｓは、上記実施形態に限定されるものではなく、本発明の要旨を逸脱しない範囲で種々の変更が可能である。
【００３３】
例えば、図１〜５や図６に示す実施形態の視線誘導装置Ｓは、横長の発光ライン部１を間隔をあけて横方向へ断続的に複数並設させているが、これに限るものではなく、１本の発光ライン部１をトンネルの全長に亘って連続的に形成させ、この発光ライン部１を複数の照明灯２で照明するように設けても良い。
しかし、図１〜５や図６に示す実施形態のように、横長の発光ライン部１を間隔をあけて横方向に複数並設させることで、視認される各発光ライン部１の長さの見え方の違いによって車両の運転手に道路の線形をより立体的に認識させることができる。
【符号の説明】
【００３４】
１    発光ライン部
２    照明灯
２０  本体部
２１  レンズ部
３    蓄光板
３１  発光面
４    設置部
４２  取付部
４４  連結上部
４５  連結下部
Ｈ    発光体
Ｌ    光の照射範囲
Ｓ    視線誘導装置
【図１】
2015101892.tif 000003
【図２】
2015101892.tif 000004
【図３】
2015101892.tif 000005
【図４】
2015101892.tif 000006
【図５】
2015101892.tif 000007
【図６】
2015101892.tif 000008